(57)【要約】【課題】  トラックの荷台に積載した荷物に雨や雪がかからないようにカバーするカバー装置であって、荷台の何れの側からでも開いて荷物の積み下ろしが出来るカバー装置の提供。【解決手段】  所定の距離を隔てた両上側桟６ａ，６ｂに跨って凸状に湾曲した複数本のフレーム４，４・・を取付けると共にフレーム４，４・・にはシート５を被覆し、上側桟６の下側には下側桟７を配置して上下側桟６，７を蝶番８を介して連結し、そして下側桟７ａ，７ｂには下方を荷台３の縁桟１０ａ，１０ｂに嵌ることが出来るように開口した嵌合部材９ａ，９ｂを固定している。【選択図】    図１
0003120946.tif 000002
【実用新案登録請求の範囲】
【請求項１】
トラックの荷台に積載した荷物に雨や雪がかからないようにカバーするカバー装置において、所定の距離を隔てた両上側桟に跨って凸状に湾曲した複数本のフレームを取付けると共にフレームにはシートを被覆し、上側桟の下側には下側桟を配置して上下側桟を蝶番などの継手を介して連結し、そして下側桟には下方を荷台の縁桟に嵌ることが出来るように開口した嵌合部材を固定したことを特徴とするトラック荷台のカバー装置。
【請求項２】
上記上側桟には荷台のカギに係止することが出来るゴム紐を連結した請求項１記載のトラック荷台のカバー装置。
【請求項３】
トラックの荷台に積載した荷物に雨や雪がかからないようにカバーするカバー装置において、所定の距離を隔てた両上側桟に跨って凸状に湾曲した複数本のフレームを取付けると共にフレームにはシートを被覆し、上側桟には継手を介して揺動可能にブラケットが取付けられ、該ブラケットは荷台の縁桟に直接又はベース金具を介して間接的に取付けることが出来るように開口を形成したことを特徴とするトラック荷台のカバー装置。
【請求項４】
上記ブラケットを下方を開口したコ形とし、荷台の縁桟には上側に嵌合空間を形成したベース金具を固定し、このベース金具の嵌合空間に上記ブラケットを嵌めて水平方向の位置決めを行うと共に浮上しないようにピン止めした請求項３記載のトラック荷台のカバー装置。
【考案の詳細な説明】
【技術分野】
【０００１】
本考案はトラックの荷台、特に軽トラックの荷台に積載した荷物を覆うカバー装置に関するものである。
【背景技術】
【０００２】
トラックは荷物を積載して運搬する為の車両であり、その為に運転席の後方には大きな荷台を備えている。積載する物によっては雨天時の雨に当らないように荷台にカバーを取付けているトラックも多く、該カバー装置としては色々存在している。最も簡単で初歩的なカバー装置は、積載した荷物をカバーすることが出来るシートであり、該シートの縁にゴム紐を取付けて荷台に設けているカギに係止することが出来る。
【０００３】
しかし、このような１枚のシートを被覆した場合は、荷物をトラック荷台から降ろす時にシートを一々人手によりはぎ取るという面倒な作業が必要であるばかりか、そのはぎ取り時にシートに付着している雨水や塵埃等が垂れ流れるなどしてトラック荷台だけでなく、荷物にもかかって大切な荷物が濡れてしまう。また、運搬途中での急な雨の降り出しに伴いシートを被覆させる際、特に、運転手の一人乗車の場合はシートの被覆作業に手間どり、その間に荷物を濡らしてしまうといった不都合もある。
【０００４】
特開２００５−４７４３５に係る「トラック荷台の幌カバー開閉装置」は、
幌カバーに固定された複数本の門形支柱が、それらの左右両側柱部分の下端部に取付けられたローラを介してトラック荷台に固定の左右のレールに沿って前後に移動可能に支持されているとともに、複数本の門形支柱は前後隣接同士がパンタグラフ式リンク機構７を介して連結され、また、トラック荷台の左右両側部に沿い前方及び後方へ延ばされた複数本のロープ状紐の引張り操作により幌カバーをカバー張り状態とカバー閉じ状態とに切替え可能に構成している。
【０００５】
特開平１１−２２７５２０号に係る「トラック荷台用のシート」は、シート巻取装置の巻取ロールからシートを取り外さなくても、荷台の前面上部をシートで簡単且つ確実にカバーできるようにしている。
【０００６】
シートの前端部分にトラックの前立板の上部をカバーするための前垂れ部を余すように、巻始めシート部の後端を、シートの前端から前垂れ部の長さ分、後方に離れた上面位置に固定する。この巻始めシート部の前端に、引掛金具をベルトを介して取り付け、この引掛金具を巻取ロールに引っ掛けることで、シートを巻始めシート部を介して巻取ロールにつなぎ止める。シートを荷台に被せる時は、巻取ロールからシートを取り外さなくても、巻始めシート部の固定位置付近から垂れ下がるシートの前垂れ部で、前立板の上部を簡単にカバーすることができる。
【０００７】
この他にも、トラック荷台に装着して積載荷物をカバーすることが出来るカバー装置は色々知られている。しかし、これらのカバー装置はその構造が複雑化して製作コストが高くなると共に、該荷台への荷物の積み下ろしの際に面倒が多い。
【特許文献１】特開２００５−４７４３５に係る「トラック荷台の幌カバー開閉装置」
【特許文献２】特開平１１−２２７５２０号に係る「トラック荷台用のシート」
【考案の開示】
【考案が解決しようとする課題】
【０００８】
このように、従来のトラック荷台カバー装置には上記のごとき問題がある。本考案が解決しようとする課題はこれら問題点であり、雨水がシート上に溜まることがないようにすると共に、荷台の何れの側からも開くことが可能なカバー装置を提供する。
【課題を解決するための手段】
【０００９】
本考案に係るトラック荷台のカバー装置は、中央部を高くした凸形状を成してトラック荷台の上に装着される。しかも、荷台に載せるだけで装着可能な構造としている。トラック荷台の幅に相当する距離を隔てて上側桟を有し、この両上側桟に跨って凸状に湾曲した複数本のフレームが取付けられ、該フレームを支えとしてシートが被覆されている。そして、上側桟の下側には下側桟が設けられ、上側桟と下側桟とは蝶番などの継手を介して連結している。
【００１０】
蝶番などの継手は少なくとも上下側桟の両端部に設けられていて、その為にカバー装置は一方の継手を中心として旋回することが出来、他方の上下桟が持ち上げられる。そして、下側桟には嵌合部材が取着され、この嵌合部材はトラック荷台の縁桟に嵌るように成っている。従って、本考案のカバー装置は両下側桟に取着した嵌合部材が荷台の縁桟に嵌って着脱自在に装着されている。
【００１１】
本考案に係るカバー装置はトラック荷台の何れの側からでも開くことが出来ることに特徴があり、そこで、上記下側桟に代わってブラケットを継手を介して取付け、該ブラケットを荷台の縁桟に取付けることが出来る構造とする。ブラケットの形状は下方を開口した概略コ形とし、荷台の縁桟に嵌って位置決めされる。この場合、荷台の縁桟にはベース金具を固定し、上部に形成した嵌合空間にブラケットを嵌合すると共に浮上防止の為にピン止め構造としている。
【考案の効果】
【００１２】
本考案に係る荷台のカバー装置は凸状に湾曲したフレームにシートを被覆しているために、荷台に積載した荷物が雨で濡れることはなく、シート上に雨水が溜ったり雪が積ることはない。そして、該カバー装置はトラック荷台を特別に加工することなく装着することが出来る。すなわち、両下側桟に固定した嵌合部材を荷台の両縁桟に嵌めることで手軽に装着できる構造と成っている。上側桟にコ形ブラケットを継手を介して取付けた場合も同じく、該ブラケットは荷台縁桟に嵌って取付けられる。
【００１３】
そして、下側桟又はブラケットの上には上側桟が載置されると共に蝶番などの継手を介して連結している為に、一方側の継手を中心として旋回することで反対側の上下側桟を持ち上げることが出来る。その為に、該カバー装置はトラック荷台の左右何れの側からも持ち上げて開くことが出来、荷物の積み下ろしが便利である。
【実施例】
【００１４】
図１はカバー装置を荷台に装着した状態を示す本考案の実施例である。同図の１は軽トラック、２はカバー装置を表している。本考案のカバー装置は作業者が手で持ち上げて開くことが出来る構造であり、大型トラックでは重くなってしまう為に、対象は主として軽トラックである。
【００１５】
軽トラック１は運転席の後方に荷台３を有し、該荷台３には荷物を積載して運搬することが出来、該荷物は雨に濡れないように該荷台３には上記カバー装置２が装着されている。カバー装置２は中央部を高くした凸形状を成し、複数本の湾曲したフレーム４，４・・にシート５が被覆した構造と成っていて、そして荷台３の何れの側からでも開くことが出来るように構成している。
【００１６】
図２の(ａ)は軽トラック１の正面図、(ｂ)は後方図(右側面図)を表しており、凸状に湾曲したフレーム４，４・・は両上側桟６ａ，６ｂに跨って取付けられ、これらフレーム４，４・・を覆うようにシート５が取付けられて、荷台３をカバーしている。そして、上記上側桟６ａ，６ｂの下側には下側桟７ａ，７ｂが設けられ、上側桟６ａと下側桟７ａは蝶番８ａ，８ａにて連結されている。同じく、上側桟６ｂと下側桟７ｂは蝶番８ｂ，８ｂにて連結されている。
【００１７】
そして、下側桟７ａには嵌合部材９ａが固定され、下側桟７ｂには嵌合部材９ｂが固定されている。該嵌合部材９ａ，９ｂは下側を開口したコ形の部品であって、荷台３の縁桟１０ａ，１０ｂに嵌合することが出来る。ここで、側縁１０ａ，１０ｂとは荷台３の床面から垂直に起立する側板の上端に設けている縁である。図３はカバー装置２が荷台３に装着されている左側を表しているが、フレーム４には上側桟６ａが取付けられ、該上側桟６ａの下側には下側桟７ａが蝶番８ａを介して配置されている。そして、下側桟７ａには嵌合部材９ａが溶接され、この嵌合部材９ａは荷台３の縁桟１０ａに嵌合している。従って、カバー装置２が位置ズレすることはなく、浮上しない限り荷台３から外れることはない。
【００１８】
カバー装置２の右側も同じ構造であり、その為に該カバー装置２は荷台２の縁桟１０ａ，１０ｂに載って装着される。そこで、該カバー装置２は上側桟６と下側桟７を連結している蝶番８を介して開閉することが出来る。図４はカバー装置２を開いた場合であり、(ａ)は荷台３の右側を開いた場合、(ｂ)は荷台３の左側を開いた場合を表している。
【００１９】
このように、本考案のカバー装置２は左右何れの側であっても開くことが出来るために、荷物の積み下ろしが便利となる。すなわち、トラックの向きを変えることなく荷物の積み下ろしをすることが出来る。嵌合部材９は荷台３の縁桟１０に嵌っているだけである為に、持ち上げることで縁桟１０から外れることが出来る。
【００２０】
このように、カバー装置２は荷台３の縁桟１０ａ，１０ｂに載置された状態である為に、軽トラック１が走行する場合には安定性に欠けることもあり、上側桟６ａ，６ｂにゴム紐１１，１１・・を取付け、該ゴム紐１１，１１・・を荷台３のカギ１２，１２・・に係止してカバー装置２が浮上しないように引っ張るようにしている。
【００２１】
カバー装置２の後方側は、後方シート１３を取付けると共に、後方シート１３の下縁部に取付けたゴム紐１１，１１・・を荷台３のカギ１２，１２・・に係止している。従って、該カバー装置２を開く際にはゴム紐１１，１１・・の先端をカギ１２，１２・・から外した上で行われる。
【００２２】
本考案のカバー装置は荷台の何れの側からでも開くことが出来る点に特徴がある訳で、上記実施例に限るものではない。図５は本考案の他の実施例を示している。同図の前記図３に相当するものであり、上側桟６の下側にはブラケット１４が継手１５を介して揺動可能に取付けられている。ブラケット１４は下方を開口したコ形を成し、荷台３の縁桟１０に嵌っている。
【００２３】
そして、荷台３の縁桟１０にはベース金具１６がネジ止めなどで固定され、このベース金具１６に上記ブラケット１４が取付けられる。ベース金具１６の中央には嵌合空間が形成されていて、この嵌合空間にブラケット１４が嵌って位置決めされる。ここで、ベース金具１６及びブラケット１４の表面には突部１７が設けられ、該突部１７にはピン穴１８が貫通している。このピン穴１８にピン１９が挿入される。
【００２４】
ところで、コ形断面のベース金具１６は縁桟１０に嵌って固定され、このベース金具１６の嵌合空間にブラケット１４が嵌合すると共に縁桟１０に嵌ることで、該ブラケット１４は荷台縁桟１０に位置決めされる。そして、ピン１９をベース金具１６及びブラケット１４のピン穴１８に挿入するならばブラケット１４は浮き上がることもなく固定される。
【００２５】
カバー装置２を開く際には、ピン１９を抜き取って上側桟６を持ち上げるならば、ブラケット１４は荷台縁桟１０から離れて開口する。逆にカバー装置２を閉じる場合には、ブラケット１４を縁桟１０に嵌めると共に、ベース金具１６の嵌合空間に嵌合してピン１９をピン穴１８に挿入する。ここで、ブラケット１４とベース金具１６との連結手段は上記ピン１９に限定するものではなく、ベース金具１６の形状も同図に示すものに限定することはない。
【図面の簡単な説明】
【００２６】
【図１】本考案に係るカバー装置を装着した軽トラック。
【図２】カバー装置を装着した軽トラックの正面図と後方図。
【図３】カバー装置の左側部分詳細図。
【図４】カバー装置を開いた場合。
【図５】カバー装置の左部分詳細図。
【符号の説明】
【００２７】
１  軽トラック
２  カバー装置
３  荷台
４  フレーム
５  シート
６  上側桟
７  下側桟
８  蝶番
９  嵌合部材
10  縁桟
11  ゴム紐
12  カギ
13  後方シート
14  ブラケット
15  継手
16  ベース金具
17  突部
18  ピン穴
19  ピン
【図１】
0003120946.tif 000003
【図２】
0003120946.tif 000004
【図３】
0003120946.tif 000005
【図４】
0003120946.tif 000006
【図５】
0003120946.tif 000007